(57)【要約】  本発明は、指針の位置によって時刻を表示する表示部２と、指針を駆動するステップモータ３と、ステップモータ３を通常時は所定の指針駆動周期で駆動制御するモータ駆動部４と、指針の位置を検出する指針位置検出手段５と、指針位置検出手段５を指針駆動周期より長い第１の検出周期で間欠的に駆動制御する指針位置検出手段制御部６と、指針位置検出手段制御部６に対して、指針位置検出手段５の検出周期を変更するように指示する検出周期変更部７を備え、検出周期変更部７は、所定の検出周期変更条件を検出した場合、ステップモータ３の指針に対する指針駆動周期を保持した状態で、指針位置検出手段５による指針位置検出周期を第１の検出周期から第２の検出周期に変更する。
2007102412.tif 000002
【特許請求の範囲】
【請求項１】
駆動される指針の位置によって時刻を表示する表示手段と、前記指針を駆動する指針駆動手段と、前記指針駆動手段を通常時は所定の指針駆動周期で駆動制御する指針駆動手段制御部と、前記指針の位置を検出する指針位置検出手段と、前記指針位置検出手段を前記指針駆動周期より長い第１の検出周期で間欠的に駆動制御する指針位置検出手段制御部と、を有するアナログ電子時計において、
前記指針位置検出手段制御部に対して、前記指針位置検出手段の検出周期を変更するように指示する検出周期変更手段を備え、
前記検出周期変更手段は、所定の検出周期変更条件を検出した場合、前記指針駆動手段の前記指針に対する前記指針駆動周期を保持した状態で、前記指針位置検出手段による指針位置検出周期を前記第１の検出周期から第２の検出周期に変更する、
ことを特徴とするアナログ電子時計。
【請求項２】
前記第２の検出周期は、前記第１の検出周期よりも短い、
ことを特徴とする請求項１に記載のアナログ電子時計。
【請求項３】
前記第２の検出周期は、前記指針駆動周期と同じである、
ことを特徴とする請求項１または２に記載のアナログ電子時計。
【請求項４】
前記指針駆動手段による指針駆動毎にカウントされ、かつ、前記第２の検出周期に変更前は指針位置検出実施毎にリセットされ、前記第１の検出周期から前記第２の検出周期に変更後は指針位置検出成功までカウントを継続するカウンタと、
前記第１の検出周期から前記第２の検出周期に変更後の指針位置検出成功時における前記カウンタのカウント値と前記第１の検出周期との差を算出し、その差の値を元に指針位置の補正条件を決定し、この補正条件を前記指針駆動手段制御部に指示する指針位置補正量算出手段を有する、
ことを特徴とする請求項１乃至３のいずれか一項に記載のアナログ電子時計。
【請求項５】
前記検出周期変更条件は、前記第１の検出周期から第２の検出周期に変更する前の指針位置検出における指針位置検出の失敗である、
ことを特徴とする請求項１乃至４のいずれか一項に記載のアナログ電子時計。
【請求項６】
前記指針駆動手段は、前記指針の正逆いずれの方向でも前記指針駆動周期よりも早い周期の指針駆動が可能であり、
前記指針駆動手段制御部は、前記指針位置の補正を、前記早い周期での正逆指針駆動にて実行する、
ことを特徴とする請求項１乃至５のいずれか一項に記載のアナログ電子時計。
【請求項７】
前記検出周期変更手段は、前記指針駆動手段制御部からの補正終了指示に基づいて、検出周期を前記第２の検出周期から前記第１の検出周期に戻す、
ことを特徴とする請求項１乃至６のいずれか一項に記載のアナログ電子時計。
【請求項８】
前記指針は秒針であり、前記第１の検出周期が６０秒である、
ことを特徴とする請求項１乃至７のいずれか一項に記載のアナログ電子時計。
【請求項９】
前記指針の位置と内部時刻計時手段が計時する時刻とが不一致である指針位置ずれを起こす要因を検出して、指針位置ずれを起こす要因を検出した場合には、検出信号を前記検出周期変更手段に出力する指針位置ずれ要因検出手段を有し、
前記検出信号を前記検出周期変更条件とする、
ことを特徴とする請求項１乃至８のいずれか一項に記載のアナログ電子時計。
【請求項１０】
前記指針位置ずれ要因検出手段は、外部からの衝撃を検出し、衝撃検出信号を前記検出周期変更手段に出力する衝撃検出手段である、
ことを特徴とする請求項９に記載のアナログ電子時計。
【請求項１１】
前記指針駆動手段がステップモータであり、前記衝撃検出手段は、外部からの衝撃によって前記ステップモータに発生する逆起電力を検出することで前記検出周期変更手段に衝撃検出信号を出力する、
ことを特徴とする請求項１０に記載のアナログ電子時計。
【請求項１２】
前記衝撃検出手段は、圧電素子と該圧電素子を駆動する圧電素子駆動手段であり、外部からの衝撃によって前記圧電素子駆動手段が前記圧電素子に発生する逆起電力を検出することで前記検出周期変更手段に衝撃検出信号を出力する、
ことを特徴とする請求項１０または１１に記載のアナログ電子時計。
【請求項１３】
前記指針位置ずれ要因検出手段は、外部からの磁気を検出し、検出時の磁気検出信号を前記検出周期変更手段に出力する外部磁気検出手段である、
ことを特徴とする請求項９に記載のアナログ電子時計。
【請求項１４】
前記指針駆動手段がステップモータであり、前記指針位置ずれ要因検出手段は、前記ステップモータの回転・非回転の検出をロータの回転に伴う磁界を検出するステップモータ回転検出手段であり、前記ステップモータ回転検出手段が、外部磁気発生時に前記ステップモータに発生する磁界を検出することで、前記外部磁気検出手段として兼用する、
ことを特徴とする請求項１３に記載のアナログ電子時計。
【請求項１５】
前記指針位置ずれ要因検出手段は、周囲の温度を検出し、検出時の温度検出信号を前記検出周期変更手段に出力する温度検出手段である、
ことを特徴とする請求項９に記載のアナログ電子時計。
【請求項１６】
前記温度検出手段として、温度に対する歩度の補正を行う歩度補正手段が兼用される、
ことを特徴とする請求項１５に記載のアナログ電子時計。
【請求項１７】
前記指針位置ずれ要因検出手段は、周囲の明るさを検出し、検出時の光検出信号を前記検出周期変更手段に出力する光検出手段である、
ことを特徴とする請求項９に記載のアナログ電子時計。
【請求項１８】
動力源としての電源が、光電変換手段と、前記光電変換手段で発電された電力を蓄電する蓄電手段を有し、前記光検出手段は、前記光電変換手段が受ける光の明るさを検出する、
ことを特徴とする請求項１７に記載のアナログ電子時計。
【請求項１９】
前記指針位置ずれ要因検出手段は、動力源としての電源の電源電圧を検出する電源電圧検出手段であり、前記電源電圧検出手段により検出した前記電源電圧が所定電圧以上の値の場合に、高電圧検出信号を前記検出周期変更手段に出力する、
ことを特徴とする請求項９に記載のアナログ電子時計。
【請求項２０】
前記指針位置ずれ要因検出手段は、アナログ電子時計にかかる圧力を検出する圧力検出手段であり、前記圧力検出手段により検出した圧力が所定圧力以上の値の場合に、高圧検出信号を前記検出周期変更手段に出力する、
ことを特徴とする請求項９に記載のアナログ電子時計。
【請求項２１】
前記指針駆動手段がステップモータであり、前記指針位置ずれ要因検出手段は、前記ステップモータの回転・非回転の検出を行い、かつ前記ステップモータが非回転と判定した場合にカウントを行うカウンタを有するステップモータ回転検出手段であり、前記カウンタのカウントが所定値以上になった場合に、検出信号を前記検出周期変更手段に出力する、
ことを特徴とする請求項９に記載のアナログ電子時計。
【請求項２２】
前記指針位置ずれ要因検出手段として、外部操作部材と、前記外部操作部材が操作された場合に、操作信号を前記検出周期変更手段に出力する操作信号出力とを有している、
ことを特徴とする請求項９に記載のアナログ電子時計。
【請求項２３】
動力源としての電源の電源電圧を検出する電源電圧検出手段を有し、前記電源電圧検出手段が、前記電源電圧の電圧が所定電圧以下の値に低下したことを検出した場合に、前記指針位置検出手段を、前記所定電圧以上の値のときよりも低消費電力になるようにして駆動する、
ことを特徴とする請求項１に記載のアナログ電子時計。
【請求項２４】
前記指針位置検出手段が、発光素子から出射した光を検出孔を通して受光素子で受光する透過型指針位置検出センサであり、
前記電源電圧が前記所定電圧以下の値に低下したことを前記電源電圧検出手段で検出したときに、前記発光素子の発光時間を通常時よりも短くするとともに、前記受光素子の受光時間を通常時よりも短くする、
ことを特徴とする請求項２３に記載のアナログ電子時計。
【請求項２５】
前記電源電圧が前記所定電圧以下に低下したときに、前記指針位置検出手段による指針位置検出によって前記発光素子の発光時間を短縮した状態で指針位置の異常を検出した場合には、検出周期を変更して指針位置検出処理を行い、指針ずれ検出に失敗したときは以降の指針位置検出処理を停止する、
ことを特徴とする請求項２４に記載のアナログ電子時計。
【発明の詳細な説明】
【技術分野】
【０００１】
本発明は、衝撃や外部磁気等の影響によって表示されている時刻（指針位置）がずれた場合でも、指針の位置ずれを検出して自動的に補正することができるアナログ電子時計に関する。【０００２】
（優先権の主張）
本願は、２００６年３月３日に日本国特許庁に出願された特願２００６−０５７５８９号に基づく優先権を主張し、その内容をここに援用する。
【背景技術】
【０００３】
腕時計等のアナログ電子時計は、時刻針である時針、分針、秒針の回転位置によって現在時刻を視認することができる。ところで、このようなアナログ電子時計は、例えば衝撃が加わった場合等において、内部の駆動モータであるステップモータが一定のステップで回転しなくてどちらかの方向に複数ステップ回転し、指針（特に秒針）の位置が時計内で設定される基準時刻の位置とずれることがある。【０００４】
このため、従来より、例えば衝撃が加わった場合などにおいて、指針位置がずれているか否かを検出するための光学式の指針位置検出手段を備えた電子時計が提案されている（例えば、特許文献１参照）。【０００５】
前記特許文献１に記載の電子時計では、基準位置（実施例では、６０分）と、それよりＸステップ手前（実施例では、５９分や５９分３０秒）で光学式の指針位置検出手段を駆動して、そのときの検出値を記憶する。そして、指針がずれることなく基準位置を正しく通過している場合の所定値と記憶している前記検出値とを比較し、所定値≠検出値の場合は正常でない（指針の位置がずれている）と判断して、電動機（ステップモータ）を早送りする。そして、前記検出動作をＸステップ毎に行い、最近の２つの値（前記した所定値と検出値）が一致した値になったら（指針が基準位置に到達したら）、電動機（ステップモータ）の早送り動作を停止し、通常の指針動作に切り替えるようにしている。
【特許文献１】特公昭６３−３６４７８号公報
【発明の開示】
【発明が解決しようとする課題】
【０００６】
ところで、前記特許文献１における指針位置検出手段は、正常でない（指針の位置がずれている）と判断した場合、基準位置を発見するまで電動機（ステップモータ）を正転方向（時計方向）に早送りし続けなければならず、この早送り検出処理の間は、指針が正転方向に早送りされる。【０００７】
このため、ユーザからすると指針の不自然な動作が突然行われることとなり、指針動作に不信感を持たれかねない虞がある。【０００８】
また、前記特許文献１における指針位置検出手段は、指針のずれ方向（進み方向／遅れ方向）が分からないので、正転方向のみの早送りしか行えず、逆転で修正した場合に比べ結果的に修正完了までの指針の送り量および時間がかかってしまう場合がある。【０００９】
更に、前記特許文献１における指針位置検出手段では、電動機（ステップモータ）を早送りしながら指針検出を行っている。このため、この電動機（ステップモータ）のロータ振動の影響や光学センサの安定度を考慮した場合、精度のよい指針位置検出を行うには電動機（ステップモータ）の早送り速度を上げることができなかった。【００１０】
また、アナログ電子時計の指針の位置ずれが生じる要因としては、前記した衝撃や、外部磁気、周囲の環境（温度、湿度）状態、周囲の圧力（水圧、気圧）状態、重負荷時、電源にソーラーセルを備えている場合は周囲の明るさ状態、過充電状態時などが挙げられるが、前記特許文献１に記載の発明は、このような指針位置ずれの要因を検出するセンサを備えていないので、時計にこのような指針位置ずれの要因のいずれかが生じてから指針位置ずれを検出するまでに時間を要していた。【００１１】
そこで、本発明は、自然な通常の運針の中で指針位置ずれの検出を行うことができるアナログ電子時計を提供することを目的とする。また、本発明は、指針位置のずれ補正を効率よく短時間で行うことができるアナログ電子時計を提供することを目的とする。更に、本発明は、指針早送り時に指針位置検出を行うことを回避して、精度のよい指針位置検出を行うことができるアナログ電子時計を提供することを目的とする。また、本発明は、指針位置ずれの要因を検出できるようにして、指針位置ずれの要因が生じた場合に直ぐに指針位置ずれの検出を行うことができるアナログ電子時計を提供することを目的とする。
【課題を解決するための手段】
【００１２】
前記目的を達成するために、本願発明の第１の特徴は、駆動される指針の位置によって時刻を表示する表示手段と、前記指針を駆動する指針駆動手段と、前記指針駆動手段を通常時は所定の指針駆動周期で駆動制御する指針駆動手段制御部と、前記指針の位置を検出する指針位置検出手段と、前記指針位置検出手段を前記指針駆動周期より長い第１の検出周期で間欠的に駆動制御する指針位置検出手段制御部と、を有するアナログ電子時計において、前記指針位置検出手段制御部に対して、前記指針位置検出手段の検出周期を変更するように指示する検出周期変更手段を備え、前記検出周期変更手段は、所定の検出周期変更条件を検出した場合、前記指針駆動手段の前記指針に対する前記指針駆動周期を保持した状態で、前記指針位置検出手段による指針位置検出周期を前記第１の検出周期から第２の検出周期に変更することにある。【００１３】
本願発明の第２の特徴は、前記第２の検出周期が、前記第１の検出周期よりも短いことにある。【００１４】
本願発明の第３の特徴は、前記第２の検出周期が、前記指針駆動周期と同じであることにある。【００１５】
本願発明の第４の特徴は、前記指針駆動手段による指針駆動毎にカウントされ、かつ、前記第２の検出周期に変更前は指針位置検出実施毎にリセットされ、前記第１の検出周期から前記第２の検出周期に変更後は指針位置検出成功までカウントを継続するカウンタと、前記第１の検出周期から前記第２の検出周期に変更後の指針位置検出成功時における前記カウンタのカウント値と前記第１の検出周期との差を算出し、その差の値を元に指針位置の補正条件を決定し、この補正条件を前記指針駆動手段制御部に指示する指針位置補正量算出手段を有することにある。【００１６】
本願発明の第５の特徴は、前記検出周期変更条件は、前記第１の検出周期から第２の検出周期に変更する前の指針位置検出における指針位置検出の失敗であることにある。【００１７】
本願発明の第６の特徴は、前記指針駆動手段が、前記指針の正逆いずれの方向でも前記指針駆動周期よりも早い周期の指針駆動が可能であり、前記指針駆動手段制御部は、前記指針位置の補正を、前記早い周期での正逆指針駆動にて実行することにある。【００１８】
本願発明の第７の特徴は、前記検出周期変更手段が、前記指針駆動手段制御部からの補正終了指示に基づいて、検出周期を前記第２の検出周期から前記第１の検出周期に戻すことにある。【００１９】
本願発明の第８の特徴は、前記指針は秒針であり、前記第１の検出周期が６０秒であることにある。【００２０】
本願発明の第９の特徴は、前記指針の位置と内部時刻計時手段が計時する時刻とが不一致である指針位置ずれを起こす要因を検出して、指針位置ずれを起こす要因を検出した場合には、検出信号を前記検出周期変更手段に出力する指針位置ずれ要因検出手段を有し、前記検出信号を前記検出周期変更条件とすることにある。【００２１】
本願発明の第１０の特徴は、前記指針位置ずれ要因検出手段が、外部からの衝撃を検出し、衝撃検出信号を前記検出周期変更手段に出力する衝撃検出手段であることにある。【００２２】
本願発明の第１１の特徴は、前記指針駆動手段がステップモータであり、前記衝撃検出手段は、外部からの衝撃によって前記ステップモータに発生する逆起電力を検出することで前記検出周期変更手段に衝撃検出信号を出力することにある。【００２３】
本願発明の第１２の特徴は、前記衝撃検出手段が、圧電素子と該圧電素子を駆動する圧電素子駆動手段であり、外部からの衝撃によって前記圧電素子駆動手段が前記圧電素子に発生する逆起電力を検出することで前記検出周期変更手段に衝撃検出信号を出力することにある。【００２４】
本願発明の第１３の特徴は、前記指針位置ずれ要因検出手段が、外部からの磁気を検出し、検出時の磁気検出信号を前記検出周期変更手段に出力する外部磁気検出手段であることにある。【００２５】
本願発明の第１４の特徴は、前記指針駆動手段がステップモータであり、前記指針位置ずれ要因検出手段は、前記ステップモータの回転・非回転の検出をロータの回転に伴う磁界を検出するステップモータ回転検出手段であり、前記ステップモータ回転検出手段が、外部磁気発生時に前記ステップモータに発生する磁界を検出することで、前記外部磁気検出手段として兼用することにある。【００２６】
本願発明の第１５の特徴は、前記指針位置ずれ要因検出手段が、周囲の温度を検出し、検出時の温度検出信号を前記検出周期変更手段に出力する温度検出手段であることにある。【００２７】
本願発明の第１６の特徴は、前記温度検出手段として、温度に対する歩度の補正を行う歩度補正手段が兼用されることにある。【００２８】
本願発明の第１７の特徴は、前記指針位置ずれ要因検出手段が、周囲の明るさを検出し、検出時の光検出信号を前記検出周期変更手段に出力する光検出手段であることにある。【００２９】
本願発明の第１８の特徴は、動力源としての電源が、光電変換手段と、前記光電変換手段で発電された電力を蓄電する蓄電手段を有し、前記光検出手段は、前記光電変換手段が受ける光の明るさを検出することにある。【００３０】
本願発明の第１９の特徴は、前記指針位置ずれ要因検出手段が、動力源としての電源の電源電圧を検出する電源電圧検出手段であり、前記電源電圧検出手段により検出した前記電源電圧が所定電圧以上の値の場合に、高電圧検出信号を前記検出周期変更手段に出力することにある。【００３１】
本願発明の第２０の特徴は、前記指針位置ずれ要因検出手段が、アナログ電子時計にかかる圧力を検出する圧力検出手段であり、前記圧力検出手段により検出した圧力が所定圧力以上の値の場合に、高圧検出信号を前記検出周期変更手段に出力することにある。【００３２】
本願発明の第２１の特徴は、前記指針駆動手段がステップモータであり、前記指針位置ずれ要因検出手段は、前記ステップモータの回転・非回転の検出を行い、かつ前記ステップモータが非回転と判定した場合にカウントを行うカウンタを有するステップモータ回転検出手段であり、前記カウンタのカウントが所定値以上になった場合に、検出信号を前記検出周期変更手段に出力することにある。【００３３】
本願発明の第２２の特徴は、前記指針位置ずれ要因検出手段として、外部操作部材と、前記外部操作部材が操作された場合に、操作信号を前記検出周期変更手段に出力する操作信号出力とを有していることにある。【００３４】
本願発明の第２３の特徴は、動力源としての電源の電源電圧を検出する電源電圧検出手段を有し、前記電源電圧検出手段が、前記電源電圧の電圧が所定電圧以下の値に低下したことを検出した場合に、前記指針位置検出手段を、前記所定電圧以上の値のときよりも低消費電力になるようにして駆動することにある。【００３５】
本願発明の第２４の特徴は、前記指針位置検出手段が、発光素子から出射した光を検出孔を通して受光素子で受光する透過型指針位置検出センサであり、前記電源電圧が前記所定電圧以下の値に低下したことを前記電源電圧検出手段で検出したときに、前記発光素子の発光時間を通常時よりも短くするとともに、前記受光素子の受光時間を通常時よりも短くすることにある。【００３６】
本願発明の第２５の特徴は、前記電源電圧が前記所定電圧以下に低下したときに、前記指針位置検出手段による指針位置検出によって前記発光素子の発光時間を短縮した状態で指針位置の異常を検出した場合には、検出周期を変更して指針位置検出処理を行い、指針ずれ検出に失敗したときは以降の指針位置検出処理を停止することにある。
【発明の効果】
【００３７】
本発明によれば、所定の検出周期変更条件を検出した場合に、指針駆動手段の指針に対する指針駆動周期を保持した状態で、指針位置検出手段による指針位置検出周期を第１の検出周期から第２の検出周期に変更することにより、自然な通常の運針の中で指針位置ずれの検出を行うことができる。【００３８】
更に、従来のように指針を駆動するステップモータを早送りしながら指針検出を行うことはなく、これにより、ステップモータの振動等の影響を受けることが防止され、精度のよい指針位置ずれの検出を行うことができる。【００３９】
また、指針の位置ずれ補正を、指針のずれ位置に応じて指針を正方向または逆方向に早送りで運針することにより、効率よく短時間で位置ずれ補正を行うことができ、かつ、指針駆動手段の低消費電力化を図ることができる。
【図面の簡単な説明】
【００４０】
【図１】本発明の実施形態１に係るアナログ電子時計の構成を示すブロック図。
【図２】本発明の実施形態１に係るアナログ電子時計における衝撃による指針位置のずれ検出および指針位置のずれ補正動作を示すフローチャート。
【図３】（ａ）〜（ｅ）は、外部から衝撃によって−２秒だけ秒針が遅れた状況における、指針位置のずれ検出および指針位置のずれ補正動作を示す図。
【図４】（ａ）〜（ｅ）は、外部から衝撃によって＋４秒だけ秒針が進んだ状況における、指針位置のずれ検出および指針位置のずれ補正動作を示す図。
【図５】（ａ）〜（ｅ）は、外部磁気の影響によって−２秒だけ秒針が遅れた状況における、指針位置のずれ検出および指針位置のずれ補正動作を示す図。
【図６】本発明の実施形態２に係るアナログ電子時計の構成を示すブロック図。
【図７】本発明の実施形態３に係るアナログ電子時計の構成を示すブロック図。
【図８】本発明の実施形態４に係るアナログ電子時計の構成を示すブロック図。
【図９】本発明の実施形態５に係るアナログ電子時計の構成を示すブロック図。
【図１０】本発明の実施形態６に係るアナログ電子時計の構成を示すブロック図。
【図１１】本発明の実施形態７に係るアナログ電子時計の構成を示すブロック図。
【図１２】本発明の実施形態８に係るアナログ電子時計の構成を示すブロック図。
【図１３】本発明の実施形態９に係るアナログ電子時計の構成を示すブロック図。
【図１４】電源の二次電池に蓄電される電圧（電源電圧）が低下した場合の実施形態９における処理動作を示すフローチャート。
【図１５】電源の二次電池に蓄電される電圧（電源電圧）が低下した場合の実施形態１０における処理動作を示すフローチャート。
【図１６】（ａ）は、６０秒周期から２秒周期に変更した場合における指針位置検出動作を示す図、（ｂ）は、２秒周期から運針毎の検出周期に変更した場合における指針位置検出動作を示す図。
【図１７】本発明の実施形態１１に係るアナログ電子時計の透過型指針位置検出センサの構成を示すブロック図。
【符号の説明】
【００４１】
１〜１ｈ        アナログ電子時計
２        表示部
２ｃ      秒針
３        ステップモータ
４        モータ駆動部
５        指針位置検出手段
６        指針位置検出手段制御部
７        検出周期変更部
８        補正量算出部
８ａ      計時カウンタ
８ｂ      針検カウンタ
８ｃ      針位置カウンタ
９        計時部
１０      衝撃検出部
１１      外部磁気検出部
１２      温度検出部
１３      光検出部
１４      電源電圧検出部
１５      ソーラーセル
１６      二次電池
１７      圧力検出部
１８      ステップモータ回転検出部
１８ａ    カウンタ部
１９      外部操作ボタン
２０      操作信号出力部
２１      電源
２２      電源電圧検出部
３０      発光部
３１      受光部
３３      第１コンパレータ
３５      ＬＥＤ
３７      フォトトランジスタ
３８      第２コンパレータ
４２      第３コンパレータ
４５      定電圧回路
【発明を実施するための最良の形態】
【００４２】
以下、本発明を図示の実施形態に基づいて説明する。
〈実施形態１〉
図１は、本発明の実施形態１に係るアナログ電子時計の構成を示すブロック図である。なお、本実施形態におけるアナログ電子時計は、アナログ電子腕時計の例である。【００４３】
図１に示すように、本実施形態に係るアナログ電子時計（アナログ電子腕時計）１は、指針を設けた表示部２と、指針駆動手段としてのステップモータ３と、指針駆動手段制御部としてのモータ駆動部４と、指針位置検出手段５と、指針位置検出手段制御部６と、検出周期変更部７と、指針位置補正量算出手段としての補正量算出部８と、計時部９および指針位置ずれ要因検出手段としての衝撃検出部１０を主要構成部として備えている。【００４４】
ステップモータ３は、モータ駆動部４から出力される駆動パルス信号に基づいて回転制御され、ギア列（不図示）を介して表示部２の指針を駆動する。なお、本実施形態では、指針として時針２ａ、分針２ｂ、秒針２ｃを有している。【００４５】
指針位置検出手段５は、本実施形態では秒針２ｃの指針位置を検出するものであり、例えば、秒針２ｃの０秒位置（表示部２の０時の位置）を公知の透過型指針位置検出センサによる光透過の有無に基づいて検出する。指針位置検出手段５としての透過型指針位置検出センサは、対向配置されたＬＥＤなどの発光素子とフォトトランジスタなどの受光素子の間に、指針（秒針２ｃ）の回転に連動して可動する可動部材が設けられており、発光素子から出射された光が前記可動部材に形成された検出孔を通って受光素子で受光されると、指針（秒針２ｃ）が正常な位置にあると判定される。【００４６】
このように、０秒位置にて発光素子からの光を検出孔を通して受光素子で検出した場合を正常もしくは検出成功、検出できなかった場合を検出失敗と判断しており、本実施の形態もこれに則っているものとする。なお、指針位置の検出方法としては、これ以外にも、公知の反射型光センサ、磁気センサ、さらには機械式の検出装置などを用いることができる。【００４７】
指針位置検出手段制御部６は、検出周期変更部７からの検出周期変更指示信号に基づいて、指針位置検出手段５による指針位置の検出周期を第１の検出周期と第２の検出周期とに切換え自在に制御する（詳細は後述する）。【００４８】
補正量算出部８は、計時部９から入力される基準時刻信号と、前記指針位置検出手段５から入力される指針位置検出結果情報とを比較し、基準時刻（本実施形態では、秒針２ｃが０時位置から１回転する６０秒）に対して指針位置にずれがあると判定した場合に、そのずれ分の補正量を算出する（詳細は後述する）。また、補正量算出部８は、後述する計時カウンタ８ａ、針検カウンタ８ｂおよび針位置カウンタ８ｃを有している。【００４９】
衝撃検出部１０は、アナログ電子時計１に対して外部から衝撃が加えられたか否かを検出するものであり、本実施形態では、指針（時針２ａ、分針２ｂ、秒針２ｃ）を運針駆動するステップモータ３のロータが衝撃によって揺動したときに発生する逆起電力に基づいて、アナログ電子時計１に衝撃が加わったことを検出する構成である。なお、ステップモータの逆起電力の発生によってアナログ電子時計に対する衝撃を検出する構成としては、例えば、特開２００５−１７２６７７号公報に記載の構成を用いることができる。【００５０】
次に、前記したアナログ電子時計１における衝撃による指針位置のずれ検出および指針位置のずれ補正動作を、図２に示すフローチャートを参照して説明する。なお、本実施形態では、指針として秒針２ｃの位置ずれ検出および位置ずれ補正動作についての例である。【００５１】
計時部９から入力される基準時刻信号ａに基づいてモータ駆動部４から、ステップモータ３に通常の駆動パルス信号ｂを出力することにより、ステップモータ３の回転によって秒針２ｃが正常な運針駆動（１秒運針）をしている（ステップＳ１）。【００５２】
この際、衝撃検出部１０は、ステップモータ３での逆起電力の発生の有無に基づいて、アナログ電子時計１に対する衝撃の有無を検出可能状態にあり（ステップＳ２）、衝撃を検出していない通常時、即ち、ステップモータ３で逆起電力が発生していないとき（ステップＳ２：ＮＯ）は、指針位置検出手段５によって、通常の第１の検出周期である６０秒に１回（６０秒周期）の指針位置検出を行っている（ステップＳ３）。【００５３】
そして、指針位置検出手段５による通常の６０秒に１回の指針位置検出時において、秒針２ｃの位置が０秒位置に正確に合っている正常な場合（ステップＳ４：ＹＥＳ）、指針位置のずれ補正動作を行う必要がないので終了する。そして、ステップＳ４で、指針位置検出手段５による通常の６０秒に１回の指針位置検出時において、その他の指針位置ずれ要因（例えば、外部磁気等）によって秒針２ｃの位置が０秒位置に合っていない異常発生時には（ステップＳ４：ＮＯ）、前記第１の検出周期（６０秒に１回）から第２の検出周期である１秒毎（１秒周期）に変更して、１秒毎の指針位置検出を行う（ステップＳ５）。【００５４】
なお、前記ステップＳ２で、アナログ電子時計１を落下させたり何かに当てたりして、アナログ電子時計１に外部から衝撃が加わった場合、衝撃検出部１０は、ステップモータ３で発生した逆起電力に基づいて、アナログ電子時計１に外部から衝撃が加わったことを検出する（ステップＳ２：ＹＥＳ）。この際、衝撃検出部１０から検出周期変更部７に衝撃検出信号ｃが出力される。【００５５】
そして、衝撃検出部１０で衝撃を検出した場合においても、ステップＳ５に進み、前記第１の検出周期（６０秒に１回）から第２の検出周期である１秒毎（１秒周期）に変更して、１秒毎の指針位置検出を行う。なお、ステップＳ５で、前記第１の検出周期（６０秒に１回）から第２の検出周期である１秒毎（１秒周期）に変更した状況時においても、秒針２ｃは前記第２の検出周期（１秒周期）と同じ通常の指針駆動周期（１秒運針）で駆動されている。【００５６】
そして、指針位置検出手段制御部６は、検出周期変更部７からの周期変更指示信号ｄに基づいて指針位置検出手段５に指針位置検出指示信号ｅを出力する。これにより、指針位置検出手段５は、１秒毎に指針位置検出を実施する（ステップＳ６）。そして、指針位置検出手段５による１秒毎の指針位置検出で本来の検出位置（本実施形態では、０秒位置）を検出した場合（ステップＳ７：ＹＥＳ）、指針位置検出手段５から補正量算出部８に位置ずれ検出結果データｆを出力し、補正量算出部８は、この位置ずれ検出結果データｆと計時部９から入力される基準時刻信号ａとに基づいて、指針位置の位置ずれの補正量を算出する（ステップＳ８）。【００５７】
そして、補正量算出部８から位置ずれの補正量データｇがモータ駆動部４に出力され、モータ駆動部４は、この補正量データｇに基づいてステップモータ３を回転制御して、指針（秒針２ｃ）を早送りして位置ずれを補正する（ステップＳ９）。なお、ステップＳ７で、指針の０秒位置検出に失敗した場合（ステップＳ７：ＮＯ）、ステップＳ６に戻り、１秒毎の指針位置検出を繰り返す。ステップＳ８、Ｓ９の具体例における動作については後述する。【００５８】
そして、ステップＳ９で指針の位置ずれ補正が終了すると（ステップＳ１０：ＹＥＳ）、秒針２ｃを通常の指針駆動周期（１秒運針）に変更する（ステップＳ１１）。なお、ステップＳ１０で、指針の位置ずれ補正が終了していない場合（ステップＳ１０：ＮＯ）、ステップＳ９に戻る。【００５９】
そして、モータ駆動部４から検出周期変更部７に検出周期復帰指示信号ｈが出力され、検出周期変更部７から指針位置検出手段制御部６に周期変更指示信号ｄが出力される。これにより、指針位置検出手段５は、指針位置検出手段制御部６から入力される指針位置検出指示信号ｅにより検出周期を１秒から６０秒に変更し（ステップＳ１２）、通常の６０秒周期に戻して指針位置検出を実施する。【００６０】
なお、前記ステップＳ２において、衝撃検出部１０によりアナログ電子時計１に対する外部からの衝撃を検出した場合でも、衝撃の程度によっては指針（秒針２ｃ）の位置ずれが起こらないことがある。即ち、前記ステップＳ６において、指針位置検出手段５による１秒毎の指針位置検出で、０秒位置にて指針位置検出に成功した場合である。よって、この場合には、指針位置の修正は行わず、検出周期を１秒から６０秒に変更して通常の指針位置検出を実施する。【００６１】
次に、図３（ａ）〜（ｅ）および図４（ａ）〜（ｅ）を参照して、前記図２に示したフローチャートのステップＳ８、Ｓ９の具体例における動作について説明する。なお、図３（ａ）〜（ｅ）は、表示部２の秒針２ｃが２０秒位置で外部から衝撃が加わって、−２秒だけ秒針２ｃが遅れた状況であり、図４（ａ）〜（ｅ）は、表示部２の秒針２ｃが２０秒位置で外部から衝撃が加わって、＋４秒だけ秒針２ｃが進んだ状況である。【００６２】
［衝撃により、−２秒だけ秒針２ｃが遅れた状況の場合］
図３（ａ）は、アナログ電子時計（アナログ電子腕時計）１に、０：０１：２０（０時１分２０秒）に衝撃が加わって２秒（−２秒）遅れが生じ、０：０１：１８（０時１分１８秒）を示している状況である。なお、図３（ａ）において、補正量算出部８内に有している計時カウンタ８ａは「８０」、針検カウンタ８ｂは「２０」、針位置カウンタ８ｃは「８０」を示している。【００６３】
計時カウンタ８ａは、計時部９から補正量算出部８に出力される時刻に対応する値をカウントするカウンタであり、図３（ａ）の状況では、０：０１：２０（０時１分２０秒）に相当する「８０」を示している。針検カウンタ８ｂは、指針位置検出実施毎にリセットされ、かつステップモータ３による駆動パルス信号毎にカウントされ、図３（ａ）の状況では、秒針２ｃの２０秒位置に相当する「２０」を示している。なお、針検カウンタ８ｂは、１秒検出周期（第２の検出周期）に変更後は指針検出成功までカウントする。針位置カウンタ８ｃは、通常時は計時カウンタ８ａのカウント値と同じカウント値を示し、１秒毎の指針検出成功時には検出した位置ずれの補正量に応じたカウント値を示す。【００６４】
そして、衝撃検出部１０でステップモータ３の逆起電力を検出して、アナログ電子時計（アナログ電子腕時計）１に衝撃が加わったことを検出すると、図３（ｂ）に示す表示部２の０：０１：１９（計時部９からの時刻情報は０：０１：２１）から１秒毎（１秒周期）の指針位置検出をスタートする。なお、図３（ｂ）では、計時カウンタ８ａは「８１」、針検カウンタ８ｂは「２１」、針位置カウンタ８ｃは「８１」を示している。【００６５】
そして、図３（ｃ）に示す表示部２の０：０２：００（計時部９からの時刻情報は０：０２：０２）で、指針位置検出に成功する。なお、図３（ｃ）では、計時カウンタ８ａは「１２２」、針検カウンタ８ｂは「６２」、針位置カウンタ８ｃは「１２２」を示している。そして、このときの指針位置検出値により、第１の検出周期（６０秒）と針検カウンタ８ｂのカウンタ値（「６２」）との差（６０−６２＝−２）を算出する。この算出結果から補正量算出部８は、−２秒遅れていたと判断する。【００６６】
そして、図３（ｄ）では、この−２秒遅れに基づいて、針位置カウンタ８ｃのカウント値を１２０（＝１２２−２）に変更する。よって、図３（ｅ）では、計時カウンタ８ａは「１２２」、針位置カウンタ８ｃは「１２０」なので、補正量に相当するカウント値（１２２―１２０＝＋２）だけ針位置カウンタ８ｃのカウント値を上げて、針位置カウンタ８ｃを「１２２」にする。これにより、モータ駆動部４からステップモータ３に前記補正量に対応した駆動パルス信号を出力して、秒針２ｃを計時カウンタ８ａのカウント値「１２２」に向けて正方向への早送りで運針する。なお、この早送り時での駆動周期は、通常の指針駆動周期（１秒運針）よりも早い。【００６７】
よって、図３（ｅ）では、計時カウンタ８ａは「１２２」、針位置カウンタ８ｃは「１２２」、針検カウンタ８ｂはリセットされて「０」を示している。【００６８】
そして、指針（秒針２ｃ）の位置ずれ補正が終了すると、指針駆動を１秒運針に変更し、更に、指針位置検出周期を１秒から６０秒に変更して、通常の運針状態に戻る。【００６９】
［衝撃により、＋４秒だけ秒針２ｃが進んだ状況の場合］
図４（ａ）は、アナログ電子時計（アナログ電子腕時計）１に、０：０１：２０（０時１分２０秒）に衝撃が加わって４秒（＋４秒）進みが生じ、０：０１：２４（０時１分２４秒）を示している状況である。なお、図４（ａ）において、補正量算出部８内に有している計時カウンタ８ａは「８０」、針検カウンタ８ｂは「２０」、針位置カウンタ８ｃは「８０」を示している。【００７０】
そして、衝撃検出部１０でステップモータ３の逆起電力を検出して、アナログ電子時計（アナログ電子腕時計）１に衝撃が加わったことを検出すると、図４（ｂ）に示す表示部２の０：０１：２５（計時部９からの時刻情報は０：０１：２１）から１秒毎（１秒周期）の指針位置検出をスタートする。なお、図４（ｂ）では、計時カウンタ８ａは「８１」、針検カウンタ８ｂは「２１」、針位置カウンタ８ｃは「８１」を示している。【００７１】
そして、図４（ｃ）に示す表示部２の０：０２：００（計時部９からの時刻情報は０：０１：５６）で、指針位置検出に成功する。なお、図４（ｃ）では、計時カウンタ８ａは「１１６」、針検カウンタ８ｂは「５６」、針位置カウンタ８ｃは「１１６」を示している。そして、このときの指針位置検出値により、第１の検出周期（６０秒）と針検カウンタ８ｂのカウンタ値（「５６」）との差（６０−５６＝＋４）を算出する。この算出結果から補正量算出部８は、＋４秒進んでいたと判断する。【００７２】
そして、図４（ｄ）では、この＋４秒進みに基づいて、針位置カウンタ８ｃのカウント値を１２０（＝１１６＋４）に変更する。よって、図４（ｅ）では、計時カウンタ８ａは「１１６」、針位置カウンタ８ｃは「１２０」なので、補正量に相当するカウント値（１１６―１２０＝−４）だけ針位置カウンタ８ｃのカウント値を下げて、針位置カウンタ８ｃを「１１６」にする。これにより、モータ駆動部４からステップモータ３に前記補正量に対応した駆動パルス信号を出力して、秒針２ｃを計時カウンタ８ａのカウント値「１１６」に向けて逆方向への早送りで運針する。【００７３】
よって、図４（ｅ）では、計時カウンタ８ａは「１１６」、針位置カウンタ８ｃは「１１６」、針検カウンタ８ｂはリセットされて「０」を示している。【００７４】
そして、指針（秒針２ｃ）の位置ずれ補正が終了すると、指針駆動を１秒運針に変更し、更に、指針位置検出周期を１秒から６０秒に変更して、通常の運針状態に戻る。【００７５】
ところで、前記図２に示したフローチャートにおいて、ステップＳ２で衝撃を検出してなく（ステップＳ２：ＮＯ）、６０秒周期で指針位置検出を実施しているときに（ステップＳ３）、外部磁気の影響などによって指針位置がずれることがある（ステップＳ４：ＮＯ）。この場合も、検出周期を６０秒から１秒毎（１秒周期）に変更して、１秒毎の指針位置検出を行う（ステップＳ５）。【００７６】
以下、図５（ａ）〜（ｅ）を参照して、外部磁気の影響などによって指針位置が、例えば、表示部２の秒針２ｃが０秒位置で−２秒だけ遅れた状況における、指針位置のずれ検出および指針位置のずれ補正動作について説明する。【００７７】
［外部磁気により、−２秒だけ秒針２ｃが遅れた状況の場合］
図５（ａ）は、アナログ電子時計（アナログ電子腕時計）１ａに、０：０２：００（０時２分００秒）に外部磁気の影響によって２秒（−２秒）遅れが生じ、０：０１：５８（０時１分５８秒）を示している状況である。なお、図５（ａ）において、補正量算出部８内に有している計時カウンタ８ａは「１２０」、針検カウンタ８ｂは「６０」、針位置カウンタ８ｃは「６０」を示している。なお、針検カウンタ８ｂは、６０秒（０位置）でリセットしないで継続カウントしている。【００７８】
そして、図５（ａ）の状況では、秒針２ｃが−２秒遅れが生じているので、通常の６０秒周期による秒針２ｃの０秒位置での指針位置検出に失敗する。指針位置検出の失敗により、図５（ｂ）に示す表示部２の０：０１：５９（計時部９からの時刻情報は０：０２：０１）から１秒毎（１秒周期）に変更した指針位置検出をスタートする。なお、図５（ｂ）では、計時カウンタ８ａは「１２１」、針検カウンタ８ｂは「６１」、針位置カウンタ８ｃは「１２１」を示している。【００７９】
そして、図５（ｃ）に示す表示部２の０：０２：００（計時部９からの時刻情報は０：０２：０２）で、指針位置検出に成功する。なお、図５（ｃ）では、計時カウンタ８ａは「１２２」、針検カウンタ８ｂは「６２」、針位置カウンタ８ｃは「１２２」を示している。そして、このときの指針位置検出値により、第１の検出周期（６０秒）と針検カウンタ８ｂのカウンタ値（「６２」）との差（６０−６２＝−２）を算出する。この算出結果から補正量算出部８は、−２秒遅れていたと判断する。【００８０】
そして、図５（ｄ）では、この−２秒遅れに基づいて、針位置カウンタ８ｃのカウント値を１２０（＝１２２−２）に変更する。よって、図５（ｅ）では、計時カウンタ８ａは「１２２」、針位置カウンタ８ｃは「１２０」なので、補正量に相当するカウント値（１２２―１２０＝＋２）だけ針位置カウンタ８ｃのカウント値を上げて、針位置カウンタ８ｃを「１２２」にする。これにより、モータ駆動部４からステップモータ３に前記補正量に対応した駆動パルス信号を出力して、秒針２ｃを計時カウンタ８ａのカウント値「１２２」に向けて正方向への早送りで運針する。【００８１】
よって、図５（ｅ）では、計時カウンタ８ａは「１２２」、針位置カウンタ８ｃは「１２２」、針検カウンタ８ｂはリセットされて「０」を示している。【００８２】
そして、指針（秒針２ｃ）の位置ずれ補正が終了すると、指針駆動を１秒運針に変更し、更に、指針位置検出周期を１秒から６０秒に変更して、通常の運針状態に戻る。【００８３】
このように、本実施形態に係るアナログ電子時計１によれば、位置ずれ補正を指針のずれ位置に応じて、指針（秒針２ｃ）を正方向または逆方向に早送りで運針することにより、効率よく短時間で位置ずれ補正を行うことができる。よって、ステップモータ３の低消費電力化を図ることができる。更に、修正時の指針早送り時において、指針位置ずれ検出時には修正に伴う指針早送りを行っていないので、精度のよい指針位置検出を行うことができる。【００８４】
また、本実施形態に係るアナログ電子時計１によれば、衝撃を検出するとすぐに、ステップモータ３の指針（秒針２ｃ）に対する指針駆動周期を保持した状態で、指針位置検出手段５による指針位置検出の周期を第１の検出周期（６０秒）から第２の検出周期（１秒）に変更することにより、自然な通常の運針の中で指針位置ずれの検出をすぐに行うことができる。【００８５】
なお、前記実施形態では、秒針２ｃに対する位置ずれ検出および位置ずれ補正について説明したが、これに限らず、ステップモータの回転によって駆動される時針２ａ、分針２ｂ、更には日板、曜板に対する位置ずれ検出および位置ずれ補正についても、同様に本発明を適用することができる。【００８６】
また、前記実施形態では、アナログ電子時計１に対する衝撃検出手段として、ステップモータ３で発生した逆起電力を検出し、この逆起電力の検出に基づいて衝撃が加わったことを検出する構成であったが、アナログ電子時計１に、例えばアラーム音を発生させるための圧電素子と圧電素子駆動手段を有している場合には、圧電素子駆動手段がこの圧電素子に衝撃が加わったときに発生する逆起電力を検出することで、外部から衝撃が加わったことを検出するようにしてもよい。【００８７】
なお、前記図１に示した本実施形態に係るアナログ電子時計のブロック図の構成は、ランダムロジック構成でもＣＰＵ＋ソフトウェア構成でもよい。【００８８】
〈実施形態２〉
図６は、本発明の実施形態２に係るアナログ電子時計の構成を示すブロック図である。本実施形態に係るアナログ電子時計１ａは、指針位置ずれ要因検出手段としての外部磁気検出部１１を備えている。なお、他の構成は図１に示した実施形態１と同様であり、重複する説明は省略する。【００８９】
外部磁気検出部１１は、ステップモータ３のロータの回転に伴って発生する誘起電圧に基づいて、ロータの回転の回転・非回転を検出する回転検出回路（不図示）を、外部からの磁気（磁界）を検出する回路と兼用してアナログ電子時計１に対する外部からの磁気（外部磁気）を検出する。【００９０】
このアナログ電子時計１ａの近くに磁気を発生する電気器具（例えば、電気シェーバ）があると、この電気器具から発生する外部磁気の影響によって指針（時針、分針、秒針）を駆動するステップモータ３のロータの回転が不安定になり、指針位置がずれることがある。【００９１】
そこで、本実施形態では、このアナログ電子時計１ａの近くに磁気を発生する電気器具がある場合において、アナログ電子時計１ａに対する外部磁気を外部磁気検出部１１で検出した場合に、外部磁気検出信号ｉを検出周期変更部７に出力する。検出周期変更部７は入力される外部磁気検出信号ｉに基づいて、実施形態１と同様に、前記第１の検出周期（６０秒に１回）から第２の検出周期である１秒毎（１秒周期）に変更して、１秒毎の指針位置検出を行う。なお、前記第１の検出周期（６０秒に１回）から第２の検出周期である１秒毎（１秒周期）に変更した状況時においても、秒針２ｃは前記第２の検出周期（１秒周期）と同じ通常の指針駆動周期（１秒運針）で駆動されている。【００９２】
本実施形態における指針位置のずれ補正動作も、図２に示した前記実施形態１のフローチャート（ただし、ステップＳ２においては、“外部磁気を検出？”に変更する）と同様である。【００９３】
このように、外部磁気の影響によって指針位置ずれが生じた場合でも、実施形態１と同様に、位置ずれ補正を指針のずれ位置に応じて、指針（秒針２ｃ）を正方向または逆方向に早送りで運針することにより、効率よく短時間で位置ずれ補正を行うことができる。よって、ステップモータ３の低消費電力化を図ることができる。更に、修正時の指針早送り時は、指針位置ずれ検出時には、修正に伴う指針早送りを行っていないので、精度のよい指針位置検出を行うことができる。【００９４】
〈実施形態３〉
図７は、本発明の実施形態３に係るアナログ電子時計の構成を示すブロック図である。本実施形態に係るアナログ電子時計１ｂは、指針位置ずれ要因検出手段としての温度検出部１２を備えている。なお、他の構成は図１に示した実施形態１と同様であり、重複する説明は省略する。【００９５】
本実施形態では、計時部９は、発振信号源としての水晶振動子の、温度に対する歩度の補正を行う歩度補正部（不図示）を備えており、この歩度補正部には、歩度の補正のための温度情報を得るために温度センサを有している。よって、温度検出部１２は、この歩度補正部の温度センサで兼用してもよく、また、温度検出部１２としての専用の温度センサを時計内部に配置する構成でもよい。【００９６】
このアナログ電子時計１ｂの周囲環境としての温度が大きく変化（例えば、高温環境から低温環境に変化）すると、ステップモータ３と指針（時針２ａ、分針２ｂ、秒針２ｃ）との間に設けられているギア列（不図示）等に塗布されている潤滑用の油の変質や、内部に実装されている部品の精度変化等の不具合が生じることがあり、このような不具合が生じると、指針位置がずれることがある。【００９７】
そこで、本実施形態では、温度検出部１２が、周囲環境としての温度が大きく変化（例えば、高温環境から低温環境に変化）したことを検出した場合には、温度検出信号ｊを検出周期変更部７に出力する。検出周期変更部７は入力される温度検出信号ｊに基づいて、実施形態１と同様に、前記第１の検出周期（６０秒に１回）から第２の検出周期である１秒毎（１秒周期）に変更して、１秒毎の指針位置検出を行う。なお、前記第１の検出周期（６０秒に１回）から第２の検出周期である１秒毎（１秒周期）に変更した状況時においても、秒針２ｃは前記第２の検出周期（１秒周期）と同じ通常の指針駆動周期（１秒運針）で駆動されている。【００９８】
本実施形態における指針位置のずれ補正動作も、図２に示した前記実施形態１のフローチャート（ただし、ステップＳ２においては、“大きな温度変化を検出？”に変更する）と同様である。【００９９】
本実施形態においても、前記した実施形態１と同様の効果を得ることができる。【０１００】
なお、この実施形態３では、指針位置ずれ要因検出手段として温度検出部１２を備えていたが、指針位置ずれ要因検出手段として、周囲の温度と共に湿度も併せて検出する温度・湿度検出部を備えた構成でもよい。【０１０１】
即ち、周囲環境としての湿度が大きく変化（例えば、低湿環境から高湿環境に変化）すると、時計内部に水滴が発生する等の不具合が生じることがあり、これらの不具合が生じると、指針位置がずれることがある。そのため、周囲環境としての湿度が大きく変化（例えば、低湿環境から高湿環境に変化）したことを温度・湿度検出部で検出した場合においても、湿度検出信号を検出周期変更部７に出力する。検出周期変更部７は入力される湿度検出信号に基づいて、実施形態１と同様に、前記第１の検出周期（６０秒に１回）から第２の検出周期である１秒毎（１秒周期）に変更して、１秒毎の指針位置検出を行う。【０１０２】
〈実施形態４〉
図８は、本発明の実施形態４に係るアナログ電子時計の構成を示すブロック図である。本実施形態に係るアナログ電子時計１ｃは、指針位置ずれ要因検出手段としての光検出部１３を備えている。なお、他の構成は図１に示した実施形態１と同様であり、重複する説明は省略する。【０１０３】
光検出部１３は、例えば表示部２が光透過可能に構成されている場合には、表示部２の背面側に設置される。また、このアナログ電子時計１ｃの電源としてソーラーセル（不図示）を備えている場合には、このソーラーセルを光検出部１３として兼用してもよい。ソーラーセルで得られた発電電力は、リチュウムイオン電池などの二次電池に充電（蓄電）され、この充電された電力を駆動電源とする。なお、ソーラーセルは、光透過可能な表示部２の背面側に設置される。【０１０４】
このアナログ電子時計１ｃの表示部２の背面側には、モータ駆動部４、指針位置検出手段制御部６、検出周期変更部７、補正量算出部８などを構成する集積回路部が実装されているが、これらの集積回路部は一般に過度に明るい光が照射された場合に誤動作することがある。このため、表示部２の中央部に設けた指針（時針２ａ、分針２ｂ、秒針２ｃ）の回転軸（不図示）を通すための穴から明るい光が入って、前記集積回路部が照射された場合に誤動作（誤信号を出力）する不具合が生じることがあり、このような不具合が生じると、指針位置がずれることがある。【０１０５】
そこで、本実施形態では、前記集積回路部に所定値以上の明るい光（照度の高い光）が照射されたことを光検出部１３で検出した場合に、光検出信号ｋを検出周期変更部７に出力する。検出周期変更部７は入力される光検出信号ｋに基づいて、実施形態１と同様に、前記第１の検出周期（６０秒に１回）から第２の検出周期である１秒毎（１秒周期）に変更して、１秒毎の指針位置検出を行う。なお、前記第１の検出周期（６０秒に１回）から第２の検出周期である１秒毎（１秒周期）に変更した状況時においても、秒針２ｃは前記第２の検出周期（１秒周期）と同じ通常の指針駆動周期（１秒運針）で駆動されている。【０１０６】
本実施形態における指針位置のずれ補正動作も、図２に示した前記実施形態１のフローチャート（ただし、ステップＳ２においては、“所定値以上の明るい光（照度の高い光）を検出？”に変更する）と同様である。【０１０７】
本実施形態においても、前記した実施形態１と同様の効果を得ることができる。【０１０８】
〈実施形態５〉
図９は、本発明の実施形態５に係るアナログ電子時計の構成を示すブロック図である。本実施形態に係るアナログ電子時計１ｄは、指針位置ずれ要因検出手段としての電源電圧検出部１４を備えている。なお、他の構成は図１に示した実施形態１と同様であり、重複する説明は省略する。【０１０９】
このアナログ電子時計１ｄは、電源としてソーラーセル１５と二次電池１６を備えており、ソーラーセル１５で得られた発電電力は、リチュウムイオン電池などの二次電池１６に充電（蓄電）され、この充電された電力を駆動電源とする。なお、ソーラーセル１５は、光透過可能な表示部２の背面側に設置される。電源電圧検出部１４は、二次電池１６に充電される電力の電圧を検出する。【０１１０】
長時間にわたって明るい光（照度の高い光）がソーラーセル１５に照射された場合などには、二次電池１６に対して電力が過充電される不具合が生じることがあり、二次電池１６が過充電状態になると、ステップモータ３の反跳によって指針位置がずれることがある。【０１１１】
そこで、本実施形態では、二次電池１６に所定値以上の電力が充電（過充電）されたことを電源電圧検出部１４で検出した場合に、高電圧検出信号ｌを検出周期変更部７に出力する。検出周期変更部７は入力される高電圧検出信号ｌに基づいて、実施形態１と同様に、前記第１の検出周期（６０秒に１回）から第２の検出周期である１秒毎（１秒周期）に変更して、１秒毎の指針位置検出を行う。なお、前記第１の検出周期（６０秒に１回）から第２の検出周期である１秒毎（１秒周期）に変更した状況時においても、秒針２ｃは前記第２の検出周期（１秒周期）と同じ通常の指針駆動周期（１秒運針）で駆動されている。【０１１２】
本実施形態における指針位置のずれ補正動作も、図２に示した前記実施形態１のフローチャート（ただし、ステップＳ２においては、“高電圧を検出？”に変更する）と同様である。【０１１３】
本実施形態においても、前記した実施形態１と同様の効果を得ることができる。【０１１４】
〈実施形態６〉
図１０は、本発明の実施形態６に係るアナログ電子時計の構成を示すブロック図である。本実施形態に係るアナログ電子時計１ｅは、指針位置ずれ要因検出手段としての圧力検出部１７を備えている。なお、他の構成は図１に示した実施形態１と同様であり、重複する説明は省略する。【０１１５】
圧力検出部１７は、圧力センサ（不図示）からの出力信号に基づいてこのアナログ電子時計１ｅの表示部２の外装面（ガラス面）等に作用する圧力を検出する。なお、このアナログ電子時計１ｅが、圧力センサを用いた水深計装置により水深値を表示する機能を有している腕時計（ダイバーウォッチ）の場合には、この水深計装置を圧力検出部１７として兼用してもよい。【０１１６】
アナログ電子時計１ｅを持って水中（海中）に潜った場合などに、高い水圧が作用して表示部２の表面側に固着されているガラス板（不図示）が内側方向に少し変形して指針を接する不具合が生じることがあり、このような不具合が生じると、指針位置がずれることがある。【０１１７】
そこで、本実施形態では、このアナログ電子時計１ｅを持って水中（海中）に潜った場合等において、表示部２の表面のガラス板などに高い水圧が作用していることを圧力検出部１７で検出した場合に、高圧検出信号ｍを検出周期変更部７に出力する。検出周期変更部７は入力される高圧検出信号ｍに基づいて、実施形態１と同様に、前記第１の検出周期（６０秒に１回）から第２の検出周期である１秒毎（１秒周期）に変更して、１秒毎の指針位置検出を行う。なお、前記第１の検出周期（６０秒に１回）から第２の検出周期である１秒毎（１秒周期）に変更した状況時においても、秒針２ｃは前記第２の検出周期（１秒周期）と同じ通常の指針駆動周期（１秒運針）で駆動されている。【０１１８】
本実施形態における指針位置のずれ補正動作も、図２に示した前記実施形態１のフローチャート（ただし、ステップＳ２においては、“高圧を検出？”に変更する）と同様である。【０１１９】
本実施形態においても、前記した実施形態１と同様の効果を得ることができる。【０１２０】
〈実施形態７〉
図１１は、本発明の実施形態７に係るアナログ電子時計の構成を示すブロック図である。本実施形態に係るアナログ電子時計１ｆは、指針位置ずれ要因検出手段としてのステップモータ回転検出部１８を備えている。なお、他の構成は図１に示した実施形態１と同様であり、重複する説明は省略する。【０１２１】
ステップモータ回転検出部１８は、ステップモータ３のロータの回転に伴う磁界を検出することで、ステップモータ３が回転・非回転のいずれかの状態であるかを検出する。また、ステップモータ回転検出部１８には、ステップモータ３が非回転状態であると判定した場合にカウントを行うカウンタ部１８ａを有している。【０１２２】
このアナログ電子時計１ｆの重負荷時には、電源としての電池（一次電池または２次電池）のインピーダンスにより電源電圧変動が生じて、ステップモータ３の回転が不安定になり、指針位置がずれることがある。【０１２３】
そこで、本実施形態では、アナログ電子時計１ｆが重負荷のときに、カウンタ部１８ａによるステップモータ３が非回転状態と判定したカウント値が所定値以上になったことをステップモータ回転検出部１８で検出した場合に、検出信号ｎを検出周期変更部７に出力する。検出周期変更部７は入力される検出信号ｎに基づいて、実施形態１と同様に、前記第１の検出周期（６０秒に１回）から第２の検出周期である１秒毎（１秒周期）に変更して、１秒毎の指針位置検出を行う。なお、前記第１の検出周期（６０秒に１回）から第２の検出周期である１秒毎（１秒周期）に変更した状況時においても、秒針２ｃは前記第２の検出周期（１秒周期）と同じ通常の指針駆動周期（１秒運針）で駆動されている。【０１２４】
本実施形態における指針位置のずれ補正動作も、図２に示した前記実施形態１のフローチャート（ただし、ステップＳ２においては、“非回転状態と判定したカウント値が所定値以上？”に変更する）と同様である。【０１２５】
本実施形態においても、前記した実施形態１と同様の効果を得ることができる。【０１２６】
また、本実施形態におけるステップモータ回転検出部１８を、前記実施形態２の外部磁気検出部として使用することもできる。即ち、前記したようにステップモータ回転検出部１８は、ステップモータ３のロータの回転に伴う磁気を検出することにより、ステップモータ３が回転・非回転のいずれかの状態であるかを検出しているので、外部磁気の発生時にステップモータ３に発生する磁気も検出することができる。よって、ステップモータ回転検出部１８により外部磁気を検出した場合に、前記同様に外部磁気検出信号を検出周期変更部７に出力する。【０１２７】
なお、本実施形態は、静電気やゴミ、誤操作などの指針位置ずれ要因を直接検出できないような場合に対応する手段として有効である。【０１２８】
〈実施形態８〉
図１２は、本発明の実施形態８に係るアナログ電子時計の構成を示すブロック図である。本実施形態に係るアナログ電子時計１ｇは、指針位置ずれ要因検出手段としての外部操作ボタン１９と操作信号出力部２０を備えている。なお、他の構成は図１に示した実施形態１と同様であり、重複する説明は省略する。【０１２９】
アナログ電子時計１ｇ内において静電気が発生したり、実装されている可動部品に塗布される油の経年変化、実装されている可動部品へのごみの付着が生じているときや、ユーザの誤操作等によって、ユーザが指針の運針状態を見たときに指針位置にずれが生じているのではないかと感じることがある。このような状況が生じていると、ステップモータ３の回転が不安定になり、指針位置がずれることがある。【０１３０】
そこで、本実施形態では、前記したよう状況が生じていて、ユーザが指針の運針状態を見たときに指針位置にずれが生じているのではないかと感じた場合に、ユーザが外部操作ボタン１９を押圧操作することにより操作信号出力部２０から操作信号ｏを検出周期変更部７に出力する。検出周期変更部７は入力される操作信号ｏに基づいて、実施形態１と同様に、前記第１の検出周期（６０秒に１回）から第２の検出周期である１秒毎（１秒周期）に変更して、１秒毎の指針位置検出を行う。なお、前記第１の検出周期（６０秒に１回）から第２の検出周期である１秒毎（１秒周期）に変更した状況時においても、秒針２ｃは前記第２の検出周期（１秒周期）と同じ通常の指針駆動周期（１秒運針）で駆動されている。【０１３１】
本実施形態における指針位置のずれ補正動作も、図２に示した前記実施形態１のフローチャート（ただし、ステップＳ２においては、“外部操作ボタンを押圧操作？”に変更する）と同様である。【０１３２】
本実施形態においても、前記した実施形態１と同様の効果を得ることができる。【０１３３】
〈実施形態９〉
図１３は、本発明の実施形態９に係るアナログ電子時計の構成を示すブロック図である。本実施形態に係るアナログ電子時計１ｈは、電源２１の電圧を検出する電源電圧検出部２２を備えている。なお、他の構成は図１に示した実施形態１と同様であり、重複する説明は省略する。また、本実施形態では、指針位置ずれ要因検出手段としての衝撃検出部１０を備えているが、前記した各実施形態における検出部を備えていてもよい。【０１３４】
このアナログ電子時計１ｈの電源２１は、ソーラーセルと、このソーラーセルで得られた発電電力を蓄電（充電）するリチュウムイオン電池などの二次電池とを備えており、電源電圧検出部２２は、電源２１の二次電池に蓄電される電力の電圧を検出する。なお、ソーラーセルは、光透過可能な表示部２の背面側に設置される。【０１３５】
また、指針位置検出手段５は、実施形態１と同様に、対向配置されたＬＥＤなどの発光素子とフォトトランジスタなどの受光素子との間に、指針（秒針２ｃ）の回転に連動して回転する可動部材が設けられた透過型指針位置検出センサであり、発光素子から出射された光が前記可動部材に形成された検出孔を通って受光素子で受光されると、指針（秒針２ｃ）が正常な位置にあると判定される。【０１３６】
ところで、このアナログ電子時計１ｈの周囲の照度が長時間低い場合などには、電源２１のソーラーセルで発電される電力が低下することにより、電源２１の二次電池に蓄電される電圧（電源電圧）も低下する。そのため、電源２１の二次電池に蓄電される電圧（電源電圧）が低下した場合に、前記した指針位置検出手段５による通常の指針位置検出を実行すると更に電源電圧を消費するので、指針位置検出手段５による通常の指針位置検出を安定して実行できなくなる虞がある。更に、電源２１の二次電池に蓄電される電圧（電源電圧）が低下した場合に、指針駆動に異常が生じることがある。【０１３７】
以下、電源２１の二次電池に蓄電される電圧（電源電圧）が低下した場合の本実施形態における処理動作を、図１４に示すフローチャートを参照して説明する。【０１３８】
先ず、ステップＳ２１で、電源電圧検出部２２で電源（二次電池）２１の電源電圧を検出し、予め設定している所定電圧以下の場合においては（ステップＳ２２：ＹＥＳ）、異常検出フラグＦを「０」にリセットしておく（ステップＳ２３）。なお、前記所定電圧は、通常の電圧から低下していて充電を必要とする充電警告電圧である。また、異常検出フラグＦが「０」のときは指針駆動の異常を検出していない正常なときであり、異常検出フラグＦが「１」のときは指針駆動の異常を検出したときである。【０１３９】
ステップＳ２３で、異常検出フラグＦを「０」にリセットした後において、指針位置検出手段制御部６から指針位置検出手段５に信号ｐを出力して、指針位置検出時における発光素子（ＬＥＤ）の発光時間を短縮し（ステップＳ２４）、かつ受光素子（フォトトランジスタ）の受光時間を短縮させる処理を行う（ステップＳ２５）。ステップＳ２４による発光素子（ＬＥＤ）の発光時間を短縮させる処理により、例えば通常時の発光時間が１．５ｍｓｅｃのときに０．５ｍｓｅｃに短縮する。【０１４０】
これにより、指針位置検出時における発光素子（ＬＥＤ）および受光素子（フォトトランジスタ）の消費電流の低減を図ることができる。また、前記した受光素子（フォトトランジスタ）の動作時間（受光時間）の短縮は、ノイズによる誤動作を防ぐ意味合いもある。【０１４１】
そして、指針位置検出手段５によって、通常の第１の検出周期である６０秒に１回（６０秒周期）の指針位置検出を行う（ステップＳ２６）。そして、指針位置検出手段５による通常の６０秒に１回の指針位置検出時において、指針（秒針２ｃ）の位置が正確に合っている正常な場合（ステップＳ２７：ＹＥＳ）、ステップＳ２６に戻り検出を継続する。【０１４２】
そして、ステップＳ２７で、指針（秒針２ｃ）の位置がずれていると判定された異常発生時には（ステップＳ２７：ＮＯ）、異常検出フラグＦを「１」に設定して（ステップＳ２８）、以降の指針位置検出処理および指針位置ずれ補正処理を停止する（ステップＳ２９）。【０１４３】
ステップＳ２９において、指針位置ずれ補正処理を行わないのは、仮に異常を検出しその後１秒検出に切り替え補正量を算出したとしても、電池電圧が低下した状態では、ステップモータ３による指針の早送りが難しい、特に、逆転運針が安定しないため、補正用運針が実施できないためである。【０１４４】
また、ステップＳ２２で、予め設定している所定電圧以下に低下していない正常な電源電圧に保持されている場合においては（ステップＳ２２：ＮＯ）、例えば実施形態１と同様に、図２に示したフローチャートのステップＳ１へ移行して（ステップＳ３０）、指針位置検出および位置ずれ補正動作を行う。なお、このときの指針位置検出時における指針位置検出手段５の発光素子（ＬＥＤ）の発光時間は、例えば通常の１．５ｍｓｅｃである。【０１４５】
ところで、ステップＳ２２で、電源電圧が所定電圧以下に低下していて、指針位置検出動作を停止している（ステップＳ２９）状況時に、電源２１のソーラーセルに光が照射されて二次電池に所定電圧以上の電圧が蓄電されて、電源電圧が通常の電圧に復帰した場合には、発光素子（ＬＥＤ）の短縮されている発光時間（０．５ｍｓｅｃ）を、通常時の発光時間（１．５ｍｓｅｃ）に戻し、かつ受光素子（フォトトランジスタ）の受光時間も通常時に戻す処理を行う。【０１４６】
そして、ステップＳ２９の後で、電源電圧が通常の電圧（所定電圧以上）に復帰した後においては、前記ステップＳ２７で指針位置の異常を検出しているので、異常検出フラグＦを「０」にリセットした後にすぐに指針位置の検出処理を実行するため、図２に示した実施形態１におけるフローチャートのステップＳ５へ移行する処理を行う。【０１４７】
また、前記のように電源電圧が通常の電圧（所定電圧以上）に復帰した後においては、前記ステップＳ２７で指針位置の異常を検出しているが、発光素子（ＬＥＤ）の発光時間を短縮しているので、より検出精度を高めるために、異常検出フラグＦを「０」にリセットした後、再度６０秒周期で指針位置の検出処理を実行するため、図２に示した実施形態１におけるフローチャートのステップＳ３へ移行する処理を行うようにしてもよい。【０１４８】
このように、本実施形態では、電源電圧が所定電圧以下に低下した場合においても、指針位置検出動作を停止させることなく、指針位置検出手段５の発光素子（ＬＥＤ）の発光時間を短縮し、かつ受光素子（フォトトランジスタ）の受光時間を短縮させてこれらの消費電流の低減を図ることにより、電源電圧の消費を最小限に抑えて指針位置検出を行うことが可能となる。【０１４９】
更に、電源電圧が所定電圧以下に低下いるときに、指針位置検出によって指針位置の異常を検出した場合には、以降の指針位置検出処理および指針位置ずれ補正処理を停止することにより、電源電圧の更なる消費を抑えることができる。【０１５０】
〈実施形態１０〉
前記実施形態９では、電源電圧が所定電圧以下に低下いるときに、指針位置検出によって指針位置の異常を検出した場合には、以降の指針位置検出処理および指針位置ずれ補正処理を停止するようにしたが、本実施形態では、電源電圧が所定電圧以下に低下いるときに、指針位置検出によって指針位置の異常を検出した場合に指針位置検出処理を行うようにした。他の構成は図１３に示した実施形態９と同様であり、重複する説明は省略する。【０１５１】
以下、電源２１の二次電池に蓄電される電圧（電源電圧）が低下した場合の本実施形態における処理動作を、図１５に示すフローチャートを参照して説明する。【０１５２】
先ず、ステップＳ３１で電源電圧検出部２２で電源（二次電池）２１の電源電圧を検出し、予め設定している所定電圧以下の場合においては（ステップＳ３２：ＹＥＳ）、異常検出フラグＦを「０」にリセットしておく（ステップＳ３３）。なお、前記所定電圧は、通常の電圧から低下していて充電を必要とする充電警告電圧である。また、異常検出フラグＦが「０」のときは指針駆動の異常を検出していない正常なときであり、異常検出フラグＦが「１」のときは指針駆動の異常を検出したときである。【０１５３】
ステップＳ３３で、異常検出フラグＦを「０」にリセットした後において、指針位置検出手段制御部６から指針位置検出手段５に信号ｐを出力して、指針位置検出時における発光素子（ＬＥＤ）の発光時間を短縮し（ステップＳ３４）、かつ受光素子（フォトトランジスタ）の受光時間を短縮させる処理を行う（ステップＳ３５）。ステップＳ３４による発光素子（ＬＥＤ）の発光時間を短縮させる処理により、例えば通常時の発光時間が１．５ｍｓｅｃのときに０．５ｍｓｅｃに短縮する。これにより、指針位置検出時における発光素子（ＬＥＤ）および受光素子（フォトトランジスタ）の消費電流の低減を図ることができる。【０１５４】
そして、指針位置検出手段５によって、通常の第１の検出周期である６０秒に１回（６０秒周期）の指針位置検出を行う（ステップＳ３６）。そして、指針位置検出手段５による通常の６０秒に１回の指針位置検出時において、指針（秒針２ｃ）の位置が正確に合っている正常な場合（ステップＳ３７：ＹＥＳ）、ステップＳ３６に戻り検出を継続する。【０１５５】
そして、ステップＳ３７で、指針（秒針２ｃ）の位置がずれていると判定された異常発生時には（ステップＳ３７：ＮＯ）、６０秒に１回の検出周期（６０秒周期）から２秒に１回の検出周期（２秒周期）に変更して、例えば図１６（ａ）に示すように、２秒毎の指針位置検出を行う（ステップＳ３８）。【０１５６】
電池電圧が低下した状態では、ユーザに充電を喚起するために、図１６（ａ）に示すような、変則的な２秒運針を実施しているため、このような検出方法を実施している。【０１５７】
そして、２秒毎の指針位置検出動作時に指針位置のずれを検出できなかった場合には（ステップＳ３９：ＮＯ）、２秒に１回の検出周期（２秒周期）から運針毎の検出周期に変更して、例えば図１６（ｂ）に示すように、運針毎の指針位置検出を行う（ステップＳ４０）。なお、図１６（ｂ）では、パルス信号が出力されるごとに指針位置のずれを検出している。【０１５８】
そして、ステップＳ４１で、運針毎の指針位置検出動作時に指針ずれの検出に成功した場合（ステップＳ４１：ＹＥＳ）、およびステップＳ３９で、２秒毎の指針位置検出動作時に指針ずれの検出に成功した場合（ステップＳ３９：ＹＥＳ）には、そのときの指針ずれ量を補正量算出部８で算出し、この算出結果を記憶する（ステップＳ４２）。【０１５９】
そして、前記算出された指針ずれの量が０でないとき、即ち、指針位置にずれが生じている異常発生時には（ステップＳ４３：ＮＯ）、異常検出フラグＦを「１」に設定して（ステップＳ４４）、以降の指針位置検出処理を停止する（ステップＳ４５）。【０１６０】
また、ステップＳ４３で、前記算出された指針ずれの量が０のとき、即ち、指針位置にずれが生じていないときには（ステップＳ４３：ＹＥＳ）、以降の指針位置検出処理を停止する（ステップＳ４５）。【０１６１】
また、ステップＳ４１で、運針毎の指針位置検出動作時に指針ずれの検出に失敗した場合には（ステップＳ４１：ＮＯ）、検出不可フラグＧが「０」にリセットされている場合には「０」から「１」に設定して（ステップＳ４６）、以降の指針位置検出処理を停止する（ステップＳ４５）。なお、検出不可フラグＧが「１」のときは指針ずれの検出ができなかったときであり、検出不可フラグＧが「０」のときは指針ずれの検出に成功しているときである。【０１６２】
また、ステップＳ３２で、予め設定している所定電圧以下に低下していない正常な電源電圧に保持されている場合においては（ステップＳ３２：ＮＯ）、例えば実施形態１と同様に、図２に示したフローチャートのステップＳ１へ移行して（ステップＳ４７）、指針位置検出および位置ずれ補正動作を行う。なお、このときの指針位置検出時における指針位置検出手段５の発光素子（ＬＥＤ）の発光時間は、例えば通常の１．５ｍｓｅｃである。【０１６３】
ところで、ステップＳ３２で、電源電圧が所定電圧以下に低下していて、指針位置検出動作を停止している（ステップＳ４５）状況時に、電源２１のソーラーセルに光が照射されて二次電池に所定電圧以上の電圧が蓄電されて、電源電圧が通常の電圧に復帰した場合には、発光素子（ＬＥＤ）の短縮されている発光時間（０．５ｍｓｅｃ）を、通常時の発光時間（１．５ｍｓｅｃ）に戻し、かつ受光素子（フォトトランジスタ）の受光時間も通常時に戻す処理を行う。【０１６４】
そして、ステップＳ４５の後で、電源電圧が通常の電圧（所定電圧以上）に復帰した後において、異常検出フラグＦが「１」に設定されているか否かを判定し、異常検出フラグＦが「１」に設定されているとき（指針駆動の異常を検出しているとき）には、ステップＳ４２で算出されて記憶されている指針ずれ量に基づいて、指針位置ずれの補正処理を行う。【０１６５】
また、ステップＳ４５の後で、電源電圧が通常の電圧（所定電圧以上）に復帰した後において、異常検出フラグＦが「１」に設定されているか否かを判定し、異常検出フラグＦが「０」にリセットされているとき（指針駆動の異常を検出していない正常なとき）には、検出不可フラグＧが「１」に設定されているか否かを判定する。【０１６６】
そして、この判定において、検出不可フラグＧが「１」に設定されているときは、指針ずれ検出に失敗しているので、再度指針ずれ検出を行うために、図２に示した実施形態１におけるフローチャートのステップＳ３へ移行して検出処理を行う。また、前記判定において、検出不可フラグＧが「０」にリセットされているときは、指針ずれ検出に成功し、かつ指針駆動の異常を検出していない正常な状態なので終了する。【０１６７】
このように、本実施形態では、電源電圧が所定電圧以下に低下した場合においても、指針位置検出動作を停止させることなく、指針位置検出手段５の発光素子（ＬＥＤ）の発光時間を短縮し、かつ受光素子（フォトトランジスタ）の受光時間を短縮させてこれらの消費電流の低減を図ることにより、電源電圧の消費を最小限に抑えて指針位置検出を行うことが可能となる。【０１６８】
更に、本実施形態では、電源電圧が所定電圧以下に低下しているときに、指針位置検出によって発光素子（ＬＥＤ）の発光時間を短縮した状態で指針位置の異常を検出した場合には、検出周期を変更（６０秒周期から２秒に１回の検出周期（２秒周期）し、更に検出に失敗した場合は運針毎に変更）して指針位置検出処理を行い、指針ずれ検出に成功したときは指針ずれ補正を行うことなく指針ずれ量を記憶しておき、また、指針ずれ検出に失敗したときは以降の指針位置検出処理を停止することにより、電源電圧の更なる消費を抑えることが可能となる。【０１６９】
〈実施形態１１〉
前記各実施形態では、前記したように指針位置検出手段５として透過型指針位置検出センサが設けられている。この透過型指針位置検出センサは、図１７に示すように、発光部３０と、受光部３１と、電源電圧を検出する電源電圧検出部３２を備えている。【０１７０】
発光部３０は、第１コンパレータ３３と、トランジスタ３４と、発光素子としてのＬＥＤ３５と、抵抗３６とで構成されている。受光部３１は、受光素子としてのフォトトランジスタ３７と、第２コンパレータ３８と、抵抗３９と、トランジスタ４０とで構成されている。電源電圧検出部３２は、トランジスタ４１と、第３コンパレータ４２と、抵抗４３，４４とで構成されている。【０１７１】
また、発光部３０の第１コンパレータ３３と、受光部３１の第２コンパレータ３８と、電源電圧検出部３２の第３コンパレータ４２には、定電圧回路４５が電気的に接続されており、発光部３０の第１コンパレータ３３と受光部３１の第２コンパレータ３８に、共通の参照電圧としてのリファレンス電圧Ｖｒ０が印加されるように構成されている。【０１７２】
発光部３０の第１コンパレータ３３は、ＬＥＤ３５に流れる電流を定電流化制御するものであり、受光部３１の第２コンパレータ３８は、フォトトランジスタ３７による検出結果を比較して指針位置検出結果信号を出力する。また、電源電圧検出部３２の第３コンパレータ４２は、電源電圧結果信号を出力する。【０１７３】
この透過型指針位置検出センサは、発光部３０の第１コンパレータ３３、受光部３１の第２コンパレータ３８、電源電圧検出部３２の第３コンパレータ４２に、それぞれＬＥＤ発光許可信号、指針位置検出許可信号、電源電圧検出許可信号が入力されたときのみ動作するように構成されており、消費電力の低減を図るようにしている。また、定電圧回路４５に対して、前記ＬＥＤ発光許可信号、指針位置検出許可信号、電源電圧検出許可信号の出力時のみに動作するようにして、消費電力の低減を図るようにしてもよい。なお、ＬＥＤ３５の発光時間およびフォトトランジスタ３７の検出時間（受光時間）は、それぞれＬＥＤ発光許可信号、指針位置検出許可信号の出力時間で調整することができる。【０１７４】
また、ＬＥＤ３５とフォトトランジスタ３７の間には、指針（秒針２ｃ）の回転に連動して可動する検出孔（不図示）を有する可動部材（不図示）が設けられており、指針位置検出時にＬＥＤ３５から出射された光（透過光）が前記可動部材に形成された検出孔を通ってフォトトランジスタ３７で検出（受光）されると、フォトトランジスタ３７に電流が流れる。これにより、第２コンパレータ３８から指針位置検出結果信号が出力されて、指針（秒針２ｃ）位置が検出される。【０１７５】
そして、指針位置検出動作時には、前記ＬＥＤ発光許可信号、指針位置検出許可信号、電源電圧検出許可信号が出力されることによって、トランジスタ３４がＯＮされ、第１コンパレータ３３によりＬＥＤ３５に定電流を流してＬＥＤ３５を発光させる。【０１７６】
この際、重負荷や温度変動等によって電源電圧が変動して、定電圧回路４５のリファレンス電圧Ｖｒ０の値が小さくなった場合は、ＬＥＤ３５に流れる電流が正常時よりも低下し、ＬＥＤ３５の発光が暗くなる。この際、本実施形態では、発光部３０の第１コンパレータ３３と受光部３１の第２コンパレータ３８に、共通のリファレンス電圧Ｖｒ０が印加されているので、ＬＥＤ３５に流れる電流の低下に応じて、フォトトランジスタ３７の検出閾値も低くなる。【０１７７】
これにより、ＬＥＤ３５の発光が暗くなった場合でも、それに応じてフォトトランジスタ３７の検出閾値も低くなるので検出感度が向上し、正常時と同様にＬＥＤ３５の光をフォトトランジスタ３７で安定して検出（受光）することができる。【０１７８】
また、逆に重負荷や温度変動等によって電源電圧が変動して、定電圧回路４５のリファレンス電圧Ｖｒ０の値が大きくなった場合は、ＬＥＤ３５に流れる電流が正常時よりも増加し、ＬＥＤ３５の発光が明るくなる。この際、本実施形態では、発光部３０の第１コンパレータ３３と受光部３１の第２コンパレータ３８に、共通のリファレンス電圧Ｖｒ０が印加されているので、ＬＥＤ３５に流れる電流の増加に応じて、フォトトランジスタ３７の検出閾値も高くなる。【０１７９】
これにより、ＬＥＤ３５の発光が明るくなった場合でも、それに応じてフォトトランジスタ３７の検出閾値も高くなるので検出感度が低下し、正常時と同様にＬＥＤ３５の光をフォトトランジスタ３７で安定して検出（受光）することができる。【０１８０】
このように、本実施形態によれば、発光部３０の第１コンパレータ３３と受光部３１の第２コンパレータ３８に、定電圧回路４５の共通のリファレンス電圧Ｖｒ０が印加されることにより、重負荷や温度変動等によって電源電圧が変動して、ＬＥＤ３５の発光の明るさが変化した場合でも、それに応じてフォトトランジスタ３７の検出閾値を変化させることができるので、常にＬＥＤ３５の光をフォトトランジスタ３７で安定して検出（受光）することが可能となる。
【産業上の利用可能性】
【０１８１】
本発明は、衝撃や外部磁気等の影響によって表示されている時刻（指針位置）がずれた場合でも、指針の位置ずれを検出して補正可能なアナログ電子時計を内蔵したデジタルカメラ、デジタルビデオカメラ、ゲーム機器、携帯電話機、ＰＤＡ、パソコン、家電機器等おいても同様に適用することができる。
【図１】
2007102412.tif 000003
【図２】
2007102412.tif 000004
【図３】
2007102412.tif 000005
【図４】
2007102412.tif 000006
【図５】
2007102412.tif 000007
【図６】
2007102412.tif 000008
【図７】
2007102412.tif 000009
【図８】
2007102412.tif 000010
【図９】
2007102412.tif 000011
【図１０】
2007102412.tif 000012
【図１１】
2007102412.tif 000013
【図１２】
2007102412.tif 000014
【図１３】
2007102412.tif 000015
【図１４】
2007102412.tif 000016
【図１５】
2007102412.tif 000017
【図１６】
2007102412.tif 000018
【図１７】
2007102412.tif 000019
【国際調査報告】
2007102412.tif 000020
2007102412.tif 000021
2007102412.tif 000022
2007102412.tif 000023